(57)【要約】【課題】  シャッターを備えたファン装置において、ファン装置の設置方向が変化してもシャッターを閉じることができるファン装置、ファン装置を備えた電子機器、ファン装置のシャッター開閉方法を提供する。【解決手段】  本発明のファン装置１は、シャッター２を備えたファン装置１であって、ファン装置１の設置方向に応じて、ファン装置１に対して異なる方向に開閉するシャッター２を備える。【選択図】      図１
2008232104.tif 000002
【特許請求の範囲】
【請求項１】
シャッターを備えたファン装置であって、
ファン装置の設置方向に応じて、前記ファン装置に対して異なる方向に開閉するシャッター
を備えることを特徴とするファン装置。
【請求項２】
前記シャッターは、
シャッタープレートと、
前記シャッタープレートの回転軸となる複数の軸と
を含むことを特徴とする請求項１に記載のファン装置。
【請求項３】
前記シャッターは、
前記シャッタープレートの回転軸となる第１の軸と第２の軸と、
を含み、
前記第１の軸と前記第２の軸は直交すること
を特徴とする請求項２に記載のファン装置。
【請求項４】
前記シャッターは、
前記シャッタープレートの回転軸となる第３の軸、
を含み、
前記第１の軸と前記第３の軸は平行であること
を特徴とする請求項３に記載のファン装置。
【請求項５】
前記シャッターは、
前記シャッタープレートの回転軸となる第４の軸、
を含み、
前記第２の軸と前記第４の軸は平行であること
を特徴とする請求項４に記載のファン装置。
【請求項６】
前記第２の軸と前記第４の軸は、それぞれ両端で前記第１の軸と前記第３の軸と連結され、
前記第１，２，３，４の軸は、それぞれ前記シャッタープレートの端部に取り付けられていること
を特徴とする請求項５に記載のファン装置。
【請求項７】
前記シャッタープレートは、
一端に前記第２の軸を受ける第２の軸受けと、
他端に前記第４の軸を受ける第４の軸受けと、
を備え、
前記第２の軸が前記第４の軸の上方となるように前記ファン装置が設置され、前記シャッタープレートに風圧が加わった場合には、前記第４の軸受けは前記第４の軸から外れ、前記シャッタープレートは前記第２の軸を中心に回転し、
前記第４の軸が前記第２の軸の上方となるように前記ファン装置が設置され、前記シャッタープレートに風圧が加わった場合には、前記第２の軸受けは前記第２の軸から外れ、前記シャッタープレートは前記第４の軸を中心に回転すること
を特徴とする請求項６に記載のファン装置。
【請求項８】
前記第２の軸受けは、前記第２の軸を引掛ける断面Ｊ字形状の第１の引掛部を含み、
前記第４の軸受けは、前記第４の軸を引掛ける断面Ｊ字形状の第２の引掛部を含み、
前記第１の引掛部のＪ字形状曲面の内側と前記第２の引掛部のＪ字形状曲面の内側は向かい合うこと
を特徴とする請求項７に記載のファン装置。
【請求項９】
前記シャッタープレートは、前記第２の軸が前記第４の軸の上方となるように前記ファン装置が設置された場合に、前記第２の軸から前記第４の軸へ向かう方向に移動し、前記第２の引掛部は、前記第４の軸から外れ、
前記シャッタープレートは、前記第４の軸が前記第２の軸の上方となるように前記ファン装置が設置された場合に、前記第４の軸から前記第２の軸へ向かう方向に移動し、前記第１の引掛部は、前記第２の軸から外れること
を特徴とする請求項８に記載のファン装置。
【請求項１０】
前記シャッタープレートは第１のシャッタープレートであり、
前記シャッターは、
前記第１のシャッタープレートと隣接する第２のシャッタープレートと、
第５の軸と、
第６の軸と、
を含み、
前記第５の軸と前記第６の軸は、それぞれ両端で前記第１の軸と前記第３の軸と連結され、前記第２の軸と前記第４の軸と前記第５の軸と前記第６の軸とは、番号順に並び、
前記第２のシャッタープレートは、
一端に前記第５の軸を受ける第５の軸受けと、
他端に前記第６の軸を受ける第６の軸受けと、
を備え、
前記第５の軸受けは、前記第５の軸を引掛ける断面Ｊ字形状の第３の引掛部を含み、
前記第６の軸受けは、前記第６の軸を引掛ける断面Ｊ字形状の第４の引掛部を含み、
前記第３の引掛部のＪ字形状曲面の内側と前記第４の引掛部のＪ字形状曲面の内側は向かい合い、
前記第２の引掛部は前記第３の引掛部に隣接し、
前記第２の引掛部の先端と前記第３の引掛部の先端との間隔は、前記第４の軸と前記第５の軸との間隔よりも大きいこと
を特徴とする請求項９に記載のファン装置。
【請求項１１】
前記シャッターは、
前記第１の軸を受ける第１の軸受けと、
前記第３の軸を受ける第３の軸受けと、
を備え、
前記第１の軸が前記第３の軸の上方となるように前記ファン装置が設置され、前記シャッタープレートに風圧が加わった場合には、前記第３の軸は前記第３の軸受けから外れ、前記シャッタープレートは前記第１の軸を中心に回転し、
前記第３の軸が前記第１の軸の上方となるように前記ファン装置が設置され、前記シャッタープレートに風圧が加わった場合には、前記第１の軸は前記第１の軸受けから外れ、前記シャッタープレートは前記第３の軸を中心に回転すること
を特徴とする請求項６に記載のファン装置。
【請求項１２】
前記シャッターは、
前記第１の軸受けと前記第３の軸受けとを含むベースと、
前記第１の軸受けと前記第３の軸受けとを覆い、前記ベース上をスライドするスライドプレートと
を備え、
前記第１の軸受けは、前記第１の軸を軸支する第１の溝を含み、
前記第３の軸受けは、前記第３の軸を軸支する第２の溝を含み、
前記スライドプレートは、
第１の凹部と第２の凹部と
を含み、
前記スライドプレートは、前記第１の軸が前記第３の軸の上方となるように前記ファン装置が設置された場合に、前記第１の軸から前記第３の軸へ向かう方向にスライドし、前記第２の凹部が、前記第２の溝の前方に位置し、
前記スライドプレートは、前記第３の軸が前記第１の軸の上方となるように前記ファン装置が設置された場合に、前記第３の軸から前記第１の軸へ向かう方向にスライドし、前記第１の凹部が、前記第１の溝の前方に位置すること
を特徴とする請求項１１に記載のファン装置。
【請求項１３】
前記第１の凹部と前記第２の凹部との間隔は、前記第１の軸と前記第２の軸との間隔より短いこと
を特徴とする請求項１２に記載のファン装置。
【請求項１４】
前記ベースは、
前記第１と第２の溝との間の前記スライドプレートと対向する面に、前記第１と第２の溝を結ぶ直線に対し傾斜した第１のベース傾斜面と第２のベース傾斜面とを含むベース凹部
を含み、
前記スライドプレートは、
前記第１と第２の凹部との間の前記ベースと対向する面に、前記第１のベース傾斜面と対向する第１のスライドプレート傾斜面と、前記第２のベース傾斜面と対向する第２のスライドプレート傾斜面とを含むスライドプレート凸部
を含むことを特徴とする請求項１３に記載のファン装置。
【請求項１５】
ファン装置の設置方向に応じて、前記ファン装置に対して異なる方向に開閉するシャッターを含むファン装置
を備えることを特徴とするファン装置を備えた電子機器。
【請求項１６】
ファン装置の設置方向に応じて、前記ファン装置に対して異なる方向にシャッターを開閉すること
を特徴とするファン装置のシャッター開閉方法。
【発明の詳細な説明】
【技術分野】
【０００１】
本発明は、ファン装置、ファン装置を備えた電子機器、ファン装置のシャッター開閉方法に関し、特に、設置方向に応じて開閉方向が変化するシャッターを備えたファン装置、ファン装置を備えた電子機器、ファン装置のシャッター開閉方法に関する。
【背景技術】
【０００２】
従来、ファン装置は様々な場所に用いられている。例えば、サーバやディスクアレイ装置等の電子機器では、発生する熱を効率よく放熱するためにファン装置が備え付けられている。また、運転中の故障等によってファン装置が停止しても、そのファン装置に空気が逆流するのを防止するためのシャッターを備えたファン装置が様々な場所で用いられている。例えば、シャッターを備えたファン装置が取り付けられた電子機器が特許文献１，２，３に開示されている。
【０００３】
【特許文献１】特開平１１−０２２６９８号公報
【特許文献２】特開２００５−０１１３０４号公報
【特許文献３】特開２００６−０５９４４８号公報
【発明の開示】
【発明が解決しようとする課題】
【０００４】
ここで、特許文献１、２に示されるように、従来のファン装置のシャッターは、重力によるシャッター自身の重量で閉じる。そのため、装置の設置方向が変化すると（例えば、縦横に変化すると）、シャッタを閉じることができないという問題点があった。このため、空気の逆流が生じ、これに伴いフロント側から装置内に流入する風量が減少する場合があった。そして、装置の冷却効率が低下する場合があった。
【０００５】
また、特許文献３には、シャッタに通気口を閉じる状態となるように、ヒンジ部等からシャッタに力が働く構造を備えたファン装置が開示されている。しかし、このようなファン装置であっても、装置の設置方向が変化するとシャッタを閉じることができない場合があるという問題点があった。例えば、シャッタが開く方向に重力が作用した場合、シャッタを閉じるように働く力が、シャッタの自重に負け、シャッタを閉じることができない場合があった。この場合、ヒンジ部等からシャッタに働く力を大きくし、シャッタが開く方向に重力が作用しても閉じることができるようにすることが考えられる。しかし、この力を大きくするとシャッタを開けるために大きな力が必要となる。例えば、ファンの風圧でシャッタを開ける構成の場合には、風圧が小さいとシャッタが開かない、という問題が生じる。
【０００６】
本発明の目的は、シャッターを備えたファン装置において、ファン装置の設置方向が変化してもシャッターを閉じることができるファン装置、ファン装置を備えた電子機器、ファン装置のシャッター開閉方法を提供することにある。
【課題を解決するための手段】
【０００７】
本発明のファン装置は、シャッターを備えたファン装置であって、ファン装置の設置方向に応じて、ファン装置に対して異なる方向に開閉するシャッターを備えることを特徴とする。
【０００８】
本発明のファン装置を備えた電子機器は、ファン装置の設置方向に応じて、ファン装置に対して異なる方向に開閉するシャッターを含むファン装置を備えることを特徴とする。
【０００９】
本発明のファン装置のシャッター開閉方法は、ファン装置の設置方向に応じて、前記ファン装置に対して異なる方向にシャッターを開閉することを特徴とする。
【発明の効果】
【００１０】
本発明は、シャッターを備えたファン装置、当該ファン装置を備えた電子機器において、ファン装置の設置方向が変化してもシャッターを閉じることができるという効果を有している。その理由は、ファン装置が、ファン装置の設置方向に応じて、ファン装置に対して異なる方向に開閉するシャッターを備えるためである。
【発明を実施するための最良の形態】
【００１１】
発明を実施するための最良の形態では、まず、本発明の概略を図１を参照して説明する。次に、本発明の第１の実施例における全体の構成を、図２，３を参照して説明する。次に、本発明の第１の実施例におけるファン装置１の各部の構成を図４，５，６，７，８を参照して詳細に説明する。
【００１２】
まず、本発明の概略を説明する。図１は、本発明のファン装置１の概略を示す斜視図である。図１（ａ）は、本発明のファン装置１をある設置方向に設置した場合のファン装置１の概略を示す斜視図である。ファン装置１のシャッター２は、紙面上側の軸を中心として開閉する。ファン装置１は、内部にファン（図示せず）を有し、ファンが動作しているときは、ファンの風圧によりシャッター２が開く。逆に、ファンが動作していないときは、シャッター２は自重により閉じる。
【００１３】
図１（ｂ）は、設置方向を変更した場合のファン装置１の概略を示す斜視図である。図１（ｂ）において、一例として、ファン装置１は、図１（ａ）におけるファン装置１の設置方向から９０度回転させた設置方向に設置されている。シャッター２は、この場合でも紙面上側の軸を中心として開閉する。即ち、ファン装置１を基準とし、図１（ａ）と図１（ｂ）を比較すると、シャッター２はファン装置１に対して異なる方向に開閉する。これにより、図１（ｂ）においても、ファンが動作しているときは、ファンの風圧によりシャッター２が開く。逆に、ファンが動作していないときは、シャッター２は自重により閉じることができる。即ち、ファン装置１の設置方向が変化してもシャッター２を閉じることができる。
【００１４】
次に、本発明の実施例における全体の構成を、図２，３を参照して説明する。
【００１５】
図２は、本発明の実施例におけるファン装置１を備えた電子機器が横置き（水平置き）された状態を示す斜視図である。本発明の実施例では、電子機器の例としてディスクアレイ装置１０を示す。紙面左側が、ディスクアレイ装置１０の操作パネル等があるフロント側であり、紙面右側が、ディスクアレイ装置１０のリア側である。本発明のファン装置１は、ディスクアレイ装置１０のリア側に備え付けられている。ファン装置１において空気を吸引する側はディスクアレイ装置１０側を向いており、空気を吹出す側はその反対側を向いている。
【００１６】
以後の説明のため、ディスクアレイ装置１０の設置方向（ファン装置１の設置方向）を定義する。まず方向を定義する。図２の下方向を第１の方向とし、図２の右奥方向を第２の方向とし、図２の上方向を第３の方向とし、図２の左手前方向を第４の方向とする。次に設置方向を定義する。ディスクアレイ装置１０（又はファン装置１）の設置方向は、ディスクアレイ装置１０（又はファン装置１）に重力が作用する方向をディスクアレイ装置１０の設置方向とする。図２の例では、ディスクアレイ装置１０（又はファン装置１）は、第１の設置方向に設置されていることになる。
【００１７】
ファン装置１の説明に戻る。図２（ａ）は、ファン装置１が停止した状態を示す斜視図である。ファン装置１は、シャッター２を備え、シャッター２は、ファンの風圧により開閉するシャッタープレート３を含む。図１では、ファン装置１のファン（図示せず）は、停止状態であるため、シャッター２は閉じた状態である。
【００１８】
図２（ｂ）は、図１のファン装置１が稼動した状態を示す斜視図である。シャッタープレート３は、風圧によりシャッタープレート３の上部にあるプレート軸４（後述のプレート軸４１）を軸として回転し、シャッター２は開いている状態である。
【００１９】
図３は、本発明の実施例におけるファン装置１を備えた電子機器が縦置きされた状態を示す斜視図である。図３（ａ）は、ファン装置１が停止した状態を示す斜視図である。図３（ａ）では、ディスクアレイ装置１０（又はファン装置１）は、第２の方向に設置されている。図３（ａ）では、ファン装置１のファン（図示せず）は、停止状態であり、シャッター２は閉じた状態である。
【００２０】
図３（ｂ）は、図３（ａ）のファン装置１が稼動した状態を示す斜視図である。図３の例では、シャッタープレート３は、ファン装置１毎に４枚のシャッタープレート３１，３２，３３，３４を備える。シャッタープレート３は、風圧によりシャッタープレート３の上部にあるプレート軸４（後述のプレート軸４２，４５）を軸として回転し、シャッター２が開いている状態である。ここで、図３（ｂ）で示したシャッタープレート３の回転軸（後述のプレート軸４２，４５）の軸方向と、図２（ｂ）で示したシャッタープレート３の回転軸（後述のプレート軸４１）の軸方向は、直交している。
【００２１】
次に、本発明の実施例におけるファン装置１の各部の構成を図４，５，６，７，８を参照して詳細に説明する。この説明の中で、シャッタープレート３とプレート軸４の構成上の関係を、図４と図５を参照して詳細に説明する。プレート軸４、ベース７、スライドプレート６の構成上の関係を、図４、図６、図７、図８を参照して詳細に説明する。
【００２２】
図４は、本発明の実施例におけるファン装置１のシャッター２の構成を示した斜視図である。紙面上側が、ファン装置１の空気吹出側である。紙面下側が、ファン装置１の空気吸引側である。紙面右手前方向が第１の方向、紙面右奥方向が第２の方向、紙面左奥方向が第３の方向、紙面右手前方向が第４の方向を示す。
【００２３】
ファン装置１のシャッター２は、シャッタープレート３、プレート軸４、スライドプレート６、ベース７、ベース連結部７０、楔８を備える。プレート軸４は、プレート軸４１、プレート軸４２、プレート軸４３、プレート軸４４、プレート軸４５、プレート軸４６、プレート軸４７を含む。シャッタープレート３は、シャッタープレート３１、シャッタープレート３２、シャッタープレート３３、シャッタープレート３４を含む。
【００２４】
まず、シャッター２の外枠である、ベース７とベース連結部７０について説明する。次に、外枠の内側にある部材であるシャッタープレート３、プレート軸４について説明する。次に、外枠と内側にある部材の関係を説明する。
【００２５】
ベース連結部７０は、ベース７を連結するために第２と第４の設置方向に延伸した一対のベース連結部材である。
【００２６】
ベース７は、第１と第３の設置方向に延伸した一対のベースであり、プレート軸４の軸受けの役割を果たす。一対のベース連結部７０は、それぞれの両端において、一対のベース７のそれぞれの両端と連結される。連結された結果、一対のベース連結部７０と一対のベース７はファン装置１の外枠を構成する。
【００２７】
ファン装置１は、この外枠の内側に、シャッタープレート３とプレート軸４とを備える（以後、ファン装置１においてシャッタープレート３とプレート軸４が或る側を「ファン装置１の内側」と称す。）。シャッタープレート３とプレート軸４の構成を図４に加え、図５を参照して詳細に説明する。
【００２８】
図５は、図４において（Ａ）で示された箇所を中心に拡大した図である。（ａ）は、図４において、ファン装置１を第４の設置方向に設置した場合に、プレート軸４とシャッタープレート３を第１の方向から眺めた場合の断面図である。（ｂ）は、図４において、ファン装置１を第２の設置方向に設置した場合に、プレート軸４とシャッタープレート３を第１の方向から眺めた場合の断面図である。（ｃ）は、図４において、紙面上側（ファン装置１の空気吹出側）からプレート軸４を眺めた場合の図である。この図は、説明のためシャッタープレート３を外した状態を示している。（ａ）（ｂ）については、紙面上側がファン装置１の吹出側である。
【００２９】
図４と、図５（ｃ）を参照すると、プレート軸４１、プレート軸４３、プレート軸４７は、第２と第４の方向に延伸し、互いに平行なシャフトである。プレート軸４２、プレート軸４４は、プレート軸４５、プレート軸４６は、第１と第３の方向に延伸し、互いに平行なシャフトである。プレート軸４２、プレート軸４４は、プレート軸４５、プレート軸４６は、それぞれ両端で、プレート軸４１とプレート軸４３と連結している。また、それぞれの中間部で第７のプレート軸４７と連結している。プレート軸４２、プレート軸４４は、プレート軸４５、プレート軸４６は、その番号順に並んでいる。
【００３０】
図４、図５（ａ）、図５（ｂ）を参照すると、４枚のシャッタープレート３１，３２，３３，３４が、プレート軸４に開閉自在に取り付けられている。以下、シャッタープレート３１とシャッタープレート３２を４枚のシャッタープレート３を代表して説明する。
【００３１】
シャッタープレート３１は、プレート軸４１、プレート軸４７、プレート軸４２、プレート軸４４との間に取り付けられる。逆に言うと、シャッタープレート３１の端部にプレート軸４１、プレート軸４７、プレート軸４２、プレート軸４４が取り付けられている。シャッタープレート３１は、平板であり、両端にプレート軸４２とプレート軸４４を受ける軸受け部として、断面Ｊ字形状の第１の引掛部３１１と第２の引掛部３１２を含む。第１の引掛部３１１のＪ字形状曲面の内側と第２の引掛部３１２のＪ字形状曲面の内側は向かい合っている。第１の引掛部３１１の断面Ｊ字形状の曲部が、プレート軸４２に対し回転自在に引掛かる。第２の引掛部３１２の断面Ｊ字形状の曲部が、プレート軸４４に対し回転自在に引掛かる。
【００３２】
シャッタープレート３２は、プレート軸４１、プレート軸４７、プレート軸４５、プレート軸４６との間に取り付けられる。シャッタープレート３２は、平板であり、両端にプレート軸４５とプレート軸４６を受ける軸受け部として、断面Ｊ字形状の第３の引掛部３１３と第４の引掛部３１４を含む。第３の引掛部３１３の断面Ｊ字形状の曲部が、プレート軸４５に対し回転自在に引掛かる。第４の引掛け部の断面Ｊ字形状の曲部が、プレート軸４６に対し回転自在に引掛かる。プレート軸４４とプレート軸４５が隣接するため、第２の引掛部３１２と第３の引掛部３１３は互いに隣接する。
【００３３】
ファン装置１が、第４の設置方向に設置された場合、シャッタープレート３１とシャッタープレート３２は、自重により、第４の方向（図５（ａ）において左側）に移動する。即ち、プレート軸４４がプレート軸４２の上方となるようにファン装置１が設置されると、シャッタープレート３１はプレート軸４４からプレート軸４２へ向かう方向に移動する。プレート軸４６がプレート軸４５の上方となるようにファン装置１が設置されると、シャッタープレート３２はプレート軸４６からプレート軸４５へ向かう方向に移動する。第２の引掛部３１２はプレート軸４４を、回転自在に引掛けた状態となる。第４の引掛部３１４はプレート軸４６を、回転自在に引掛けた状態となる。一方、第１の引掛け部はプレート軸４２から外れる。第３の引掛け部はプレート軸４５から外れる。
【００３４】
この状態で、ファン装置１のファンが稼動した場合、図５（ａ）において、紙面下側から上側に向けて風が発生し、その風圧によって、シャッタープレート３１は、プレート軸４４を中心に回転する。シャッタープレート３２は、プレート軸４６を中心に回転し、シャッタープレート３１とシャッタープレート３２が開いた状態になる。逆に、ファン装置１のファンが稼動を停止した場合、シャッタープレート３１とシャッタープレート３２は、自重により閉じた状態になる。
【００３５】
ファン装置１が、第２の設置方向に設置された場合、シャッタープレート３１とシャッタープレート３２は、自重により、第２の方向（図５（ｂ）において右側）に移動する。第１引掛部はプレート軸４２を、回転自在に引掛けた状態となる。第３の引掛部３１３はプレート軸４５を、回転自在に引掛けた状態となる。一方、第２の引掛部３１２はプレート軸４４から外れる。第４の引掛け部はプレート軸４６から外れる。
【００３６】
この状態で、ファン装置１のファンが稼動した場合、図５（ｂ）において、紙面下側から上側に向けて風が発生し、その風圧によって、シャッタープレート３１は、プレート軸４２を中心に回転する。シャッタープレート３２は、プレート軸４４を中心に回転し、シャッタープレート３１とシャッタープレート３２が開いた状態になる。逆に、ファン装置１のファンが稼動を停止した場合、シャッタープレート３１とシャッタープレート３２は、自重により閉じた状態になる。
【００３７】
ここで、第２の引掛部３１２と第３の引掛部３１３が最も近づいたとする。この場合でも、第２の引掛部３１２の先端（断面Ｊ字形状のＪ字の先端）と第３の引掛部３１３の先端（断面Ｊ字形状のＪ字の先端）の間の距離は、プレート軸４４の中心と、プレート軸４５の中心間の距離よりも大きい。これにより、シャッタープレート３１とシャッタープレート３２が、第４の方向、又は第２の方向に移動した場合を除いて第２の引掛部３１２と第３の引掛部３１３が、プレート軸４４又は、プレート軸４５から外れることはない。即ち、ディスクアレイ装置１０（又はファン装置１）が水平方向に（第１の設置方向又は第３の設置方向に）設置された場合、シャッタープレート３１，３２の第２の引掛部３１２と第３の引掛部３１３は外れない。
【００３８】
次に、プレート軸４と、ベース７、スライドプレート６の構成について、図４、図６、図７、図８を参照して詳細に説明する。まず、図４、図６を参照してプレート軸４とベース７の構成上の関係について説明する。次に、図４、図７を参照してプレート軸４とベース７とスライドプレート６の構成上の関係について説明する。次に、図４、図８を参照してベース７とスライドプレート６の構成上の関係について説明する。
【００３９】
まず、図４、図６を参照してプレート軸４と、ベース７の構成を説明する。
【００４０】
図４に示されたプレート軸４は７本あるが、プレート軸４１とプレート軸４３について説明する。また、図４に示されたベース７は２つあるが、向きが異なるだけで同じ形状を有しているため、片方についてのみ説明する。
【００４１】
図４を参照すると、プレート軸４に関し、前述の通りプレート軸４２、プレート軸４６は、それぞれ両端で、プレート軸４１とプレート軸４３と連結している。プレート軸４１とプレート軸４３は、プレート軸４２、プレート軸４６との連結部を超えて延伸している。そして、これらの延伸している部分が、後述するベース７に備えられた溝７２、溝７３に回転自在に軸支される。
【００４２】
ベース７は、ファン装置１の吹出側（図４における紙面上側）に、スライドプレート嵌込部７１、溝７２，溝７３、ベース凹部７４を含む。スライドプレート嵌込部７１は、スライドプレート６がベース７に嵌まり込むための窪みである。溝７２，溝７３は、スライドプレート嵌込部７１内部底面に設けられ、プレート軸４１、プレート軸４３を軸支するための溝である。溝７２，溝７３は、ファン装置１の内側にあるベース７の側壁からベース７内部にかけて設けられている。溝７２，溝７３の間隔は、プレート軸４１とプレート軸４３の間隔と同じである。ベース凹部７４については後述する。
【００４３】
図６を参照して、溝７２，溝７３の形状と、溝７２，溝７３とプレート軸４１，プレート軸４３の関係について説明する。図６は、図４において（Ｂ）で示された箇所を拡大した図である。
【００４４】
図６の上段左部は、プレート軸４１，プレート軸４３を示す。プレート軸４１とプレート軸４３は、断面円形のシャフトである。先端部は、半球状となっている。
【００４５】
図６の上段中部は、溝７２，溝７３をファン装置１の内側から見た場合（図４において紙面左下から見た場合）の断面図である。上段右部は、溝７２と溝７３をファン装置１の吹出方向（図４における紙面上方）から見た場合の図である。溝７２と溝７３は、上段中部の断面図において、断面形状が蒲鉾形状である。溝７２と溝７３は、上段右部の図において、溝７２，溝７３の終端部において中央部が最頂部となり両側面に向かって傾斜する形状を有している。
【００４６】
プレート軸４１，プレート軸４３の曲面が、溝７２と溝７３の曲面に接触する。また、プレート軸４１，プレート軸４３の半球状の先端部と、溝７２と溝７３の終端部が二点で接触する。これにより、溝７２と溝７３は、それぞれプレート軸４１とプレート軸４３が、溝７２と溝７３の幅方向の中央に来るように位置決めする。尚、この例では、溝７２と溝７３の終端は、角型であるため、切削して作成した場合作成が容易であるという効果を有する。
【００４７】
図６下段中部と、下段右部は、溝７２と溝７３の形状の変形例を示す。この変形例では、溝７２と溝７３は、溝７２，溝７３の終端部において半球状の形状を有している。このため、プレート軸４１，プレート軸４３の半球状の先端部と、溝７２と溝７３の終端部が一点で接触する。二点ではなく一点で接触するため、この変形例は、プレート軸４１とプレート軸４３が回転する際に、プレート軸４１と溝７２、プレート軸４３と溝７３の間の摩擦が小さいという効果を有する。
【００４８】
次に、図４、図７を参照してプレート軸４とベース７とスライドプレート６の構成を説明する。
【００４９】
図４を参照すると、スライドプレート６は平板であるが、一部に、スライドプレート凹部６１，６２とスライドプレート凸部６３とを含む。スライドプレート６は、ベース７のスライドプレート嵌込部７１に、第１〜第４の方向にスライド自在に嵌め込まれる。
【００５０】
スライドプレート凹部６１，６２は、ファン装置１の内側にあるスライドプレート６の側壁から、スライドプレート６の内部にかけて設けられている凹みである。スライドプレート凹部６１，６２の幅は、プレート軸４１，プレート軸４３よりも大きい。プレート軸４１，プレート軸４３は、スライドプレート凹部６１，６２を通過可能である。
【００５１】
図７は、図４において（Ｃ）で示された箇所を中心に拡大した図である。図７（ａ）は、図４におけるスライドプレート６とプレート軸４１，プレート軸４３を拡大して示した斜視図である。図７（ｂ）は、スライドプレート６と、プレート軸４１，プレート軸４３とを、図７（ａ）における紙面左下側から（図４において、ファン装置１の内側から）見た場合の断面図である。スライドプレート凹部６１の，スライドプレート凹部６２から遠い側の側壁と、スライドプレート凹部６２のスライドプレート凹部６１から遠い側の側壁との距離が、プレート軸４１とプレート軸４３の軸の中心間の距離と等しい。
【００５２】
このため、プレート軸４１の軸の中心が、スライドプレート凹部６１の中心に位置した場合には、プレート軸４３は、スライドプレート凹部６２の中心には位置せず、スライドプレート６に覆われることになる。逆に、プレート軸４３の軸の中心が、スライドプレート凹部６２の中心に位置した場合には、プレート軸４１は、スライドプレート凹部６１の中心に配置せず、スライドプレート６に覆われることになる。したがって、プレート軸４１とプレート軸４３が、スライドプレート凹部６１又はスライドプレート凹部６２から同時に外れることはない。
【００５３】
次に、図４、図８を参照してベース７、スライドプレート６の構成を説明する。
【００５４】
図４を参照すると、上述の通り、ベース７は、ファン装置１の吹出側の面に、スライドプレート嵌込部７１とベース凹部７４とを含む。
【００５５】
ベース凹部７４は、スライドプレート嵌込部７１の底面であり、溝７２と溝７３の間にに設けられる。ベース凹部７４は、ファン装置１の内側から見た場合に断面台形形状の凹部であり、ベース傾斜面７４１、ベース傾斜面７４２、ベース平坦部７４３を含む。ベース傾斜面７４１とベース傾斜面７４２は、溝７２と溝７３を結ぶ直線に対し傾斜している。
【００５６】
スライドプレート６は、上述のスライドプレート凹部６１，６２に加え、スライドプレート凸部６３を含む。
【００５７】
スライドプレート凸部６３は、スライドプレート６のベース７に対向する側であり、スライドプレート凹部６１，６２の間に設けられる。スライドプレート凸部６３は、ファン装置１の内側から見た場合に断面台形形状の凸部であり、スライドプレート傾斜面６３１、スライドプレート傾斜面６３２、スライドプレート平坦部６３３を含む。
【００５８】
スライドプレート凸部６３は、ベース凹部７４に嵌合する。即ち、スライドプレート傾斜面６３１はベース傾斜面７４１と対向し、スライドプレート傾斜面６３２はベース傾斜面７４２と対向し、スライドプレート平坦部６３３は、ベース平坦部７４３と対向する。これにより、スライドプレート６とベース７は、スライドプレート６をベース７に挿入するときに、位置決めが容易にできるという効果を有する。スライドプレート凸部６３とベース凹部７４の嵌合後、スライドプレート嵌込部７１を通過する楔８取り付ける。楔８は、スライドプレート６がベース７から外れることを防止する。但し、スライドプレート６と楔８の間には遊びが存在する。したがって、後述のように、嵌合後もスライドプレート６はベース７に対しスライド移動可能である。
【００５９】
図８は、図４において（Ｄ）で示された箇所を中心に拡大した図であり、スライドプレート凸部６３とベース凹部７４の嵌合後の、スライドプレート６のスライド移動を示した図である。
【００６０】
図８（ａ），（ｂ），（ｃ）は、スライドプレート６、ベース７、プレート軸４１，４３を紙面左下側から（図４において、ファン装置１の内側から）見た場合の断面図である。この断面図において、スライドプレート６に設けられたスライドプレート凹部６１，６２は左右線対称の位置にある。また、ベース７に設けられた溝７２，７３も左右線対称の位置にある。また、プレート軸４１，４３も左右線対称の位置にある。
【００６１】
図８（ａ）は、スライドプレート凸部６３がベース凹部７４の中心に位置した場合のプレート軸４１，４３、スライドプレート６、ベース７の位置関係を示す図である。この場合、スライドプレート６、ベース７、プレート軸４１，４３の左右線対称の中心線の位置は等しくなる。図７で説明したとおり、スライドプレート凹部６１の，スライドプレート凹部６２から遠い側の側壁と、スライドプレート凹部６２のスライドプレート凹部６１から遠い側の側壁との距離が、プレート軸４１とプレート軸４３の軸の中心間の距離と等しい。そのため、プレート軸４１，４３のそれぞれの軸の中心が、スライドプレート凹部６１のスライドプレート凹部６２から遠い側の側壁、スライドプレート凹部６２のスライドプレート凹部６１から遠い側の側壁の位置にある。スライドプレート６により、プレート軸４１，４３は、溝７２，７３内部に固定される（溝７２，７３から外れない）。
【００６２】
図８（ｂ）は、ファン装置１が第３の設置方向に設置された場合のプレート軸４１，４３、スライドプレート６、ベース７の位置関係を示す図である。即ち、図８（ｂ）は、プレート軸４３がプレート軸４１の上方となるようにファン装置１が設置された場合を示す図である。この場合、スライドプレート６は自重により、第３の方向（紙面左方向）にスライド移動する。スライドプレート凹部６１がプレート軸４１の前方に位置し、プレート軸４１はスライドプレート凹部６１を通過可能となる。また、スライドプレート６が第３の方向にスライド移動する際に、スライドプレート傾斜面６３１がベース傾斜面７４１に沿って、スライドプレート６が移動することになる。スライドプレート６は、第３の方向にスライドするだけではなく、ベース７とプレート軸４１に対し、ファン装置１の空気の吹出方向（紙面上方）に移動することになる。プレート軸４３とスライドプレート６との間に隙間ができるため、プレート軸４３は回転しやすい状態となる。この状態でシャッタープレート３に風圧が加わった場合、シャッタープレート３はプレート軸４３を中心に回転する。プレート軸４１は、スライドプレート凹部６１を通過し、溝７２及びスライドプレート６から外れる。
【００６３】
図８（ｃ）は、ファン装置１が第１の設置方向に設置された場合のプレート軸４１，４３、スライドプレート６、ベース７の位置関係を示す図である。即ち、図８（ｃ）は、プレート軸４１がプレート軸４３の上方となるようにファン装置１が設置された場合を示す。この場合、スライドプレート６は自重により、第１の方向（紙面右方向）にスライド移動する。スライドプレート凹部６２がプレート軸４３の前方に位置し、プレート軸４３はスライドプレート凹部６２を通過可能となる。また、スライドプレート６が第１の方向にスライド移動する際に、スライドプレート傾斜面６３２がベース傾斜面７４２に沿って、スライドプレート６が移動することになる。スライドプレート６は、第１の方向にスライドするだけではなく、ベース７とプレート軸４３に対し、ファン装置１の空気の吹出方向（紙面上方）に移動することになる。プレート軸４１とスライドプレート６との間に隙間ができるため、プレート軸４１は回転しやすい状態となる。この状態でシャッタープレート３に風圧が加わった場合、シャッタープレート３はプレート軸４１を中心に回転する。プレート軸４３は、スライドプレート凹部６２を通過し、溝７３及びスライドプレート６から外れる。
【００６４】
本発明の実施例におけるファン装置１を備えた電子機器では、電子機器（上述の例では、ディスクアレイ装置１０）の設置方向を変えた場合でも、運転中の故障等によってファン装置１が停止しても、空気の逆流をシャッター２によって防止することができる。その理由は、ファン装置１が、ファン装置１の設置方向に応じて、ファン装置１に対して異なる方向に開閉するシャッター２を備えるためである。これにより、当該電子機器は、冷却効率の低下するのを抑えることができ、電子機器の運転時間を延ばすことができるという効果を有する。
【００６５】
この効果の意義をディスクアレイ装置１０を例にして説明する。急速に増大しているインターネットの領域では、マーケット情報・案内情報や音声・画像情報等のデジタル情報を入手するために、ユーザが、通信回線を利用して提供元にアクセスし、上記情報のサービスを受けられるビジネスが繁栄している。その結果として、サーバやストレージ装置の利用が増大している。
【００６６】
音声・映像情報等を書き込みできるサーバやストレージ装置は情報量が多い。また、多くのユーザからのアクセスに対して迅速に読み出せることが要求されるため、大記憶容量、高速検索、ランダムアクセスを同時に可能とするディスクアレイ装置１０が用いられることが多い。そして、ディスクアレイ装置１０は、昼夜間連続稼働を行うことになる。ディスクアレイ装置１０が停止した場合、業務が停止するという問題が発生する。
【００６７】
例えば、本発明の実施例における複数のファン装置１をディスクアレイ装置１０に備えたとする。本発明の実施例におけるディスクアレイ装置１０では、任意のファン装置１が故障した場合でもディスクアレイ装置１０の設置方向に影響されることなく、空気の逆流をシャッター２によって防止することができる。これにより、ディスクアレイ装置１０は、フロント側からディスクアレイ装置１０内に流入する風量が減少せず、冷却効率が低下することを抑えることができ、連続稼動を続けることができる。
【００６８】
また、ディスクアレイ装置１０の設置場所の状況により、ディスクアレイ装置１０を縦置きとすることが望ましい場合、横置きとすることが望ましい場合がある。本発明の実施例におけるディスクアレイ装置１０では、ディスクアレイ装置１０の設置者は、ファン装置１のシャッター２の開閉方向を気にせず、ディスクアレイ装置１０の設置方向を変更することができる。
【産業上の利用可能性】
【００６９】
本発明は、ファン装置、ファン装置を備えた電子機器、ファン装置のシャッター開閉方法に利用可能である。
【図面の簡単な説明】
【００７０】
【図１】本発明のファン装置1の概略を示す斜視図である。
【図２】本発明の実施例におけるファン装置１を備えた電子機器が横置き（水平置き）された状態を示す斜視図である。
【図３】本発明の実施例におけるファン装置１を備えた電子機器が縦置きされた状態を示す斜視図である。
【図４】本発明の実施例におけるファン装置１のシャッター２の構成を示した斜視図である。
【図５】図４において（Ａ）で示された箇所を中心に拡大した図である。
【図６】図４において（Ｂ）で示された箇所を拡大した図である。
【図７】図４において（Ｃ)で示された箇所を中心に拡大した図である。
【図８】図４において（Ｄ）で示された箇所を中心に拡大した図であり、スライドプレート凸部６３とベース凹部７４の嵌合後の、スライドプレート６のスライド移動を示した図である。
【符号の説明】
【００７１】
１    ファン装置
２    シャッター
３，３１，３２，３３，３４    シャッタープレート
３１１    第１の引掛部
３１２    第２の引掛部
３１３    第３の引掛部
３１４    第４の引掛部
４，４１，４２，４３，４４，４５，４６，４７    プレート軸
６    スライドプレート
６１，６２    スライドプレート凹部
６３    スライドプレート凸部
６３１    スライドプレート傾斜面
６３２    スライドプレート傾斜面
６３３    スライドプレート平坦部
７    ベース
７０    ベース連結部
７１    スライドプレート嵌込部
７２，７３    溝
７４    ベース凹部
７４１，７４２    ベース傾斜面
７４３    ベース平坦部
８    楔
１０    ディスクアレイ装置
【図１】
2008232104.tif 000003
【図２】
2008232104.tif 000004
【図３】
2008232104.tif 000005
【図４】
2008232104.tif 000006
【図５】
2008232104.tif 000007
【図６】
2008232104.tif 000008
【図７】
2008232104.tif 000009
【図８】
2008232104.tif 000010